(57)【要約】  郵送可能カード（１）は、一対の側端部（１０，１５）及び側端部（１０，１５）間に延伸する一対の終端部（２０，２５）を有するようなほぼ長方形の第１パネル（５）を含む。第１パネル（５）は、画像又は本文を収める主表面（３０）と、主裏面（３５）と、を更に有する。第２パネル（４０）は、第１パネル（５）と組み合わせて比較的平らな物体（５２）を収納するポケット（５０）を設けるために、第１パネル（５）に固定できる第１部分（４５）を含む。第２部分（５５）は、第１部分（４５）に繋がり且つポケット（５０）を閉じるために裏面（３５）へ固定できる。固定手段（６０）は、第２部分（５５）を裏面（３５）へ固定してポケット（５０）を閉じるために使用者により操作され、開封手段（６５）は、物体（５２）をポケット（５０）から取り出せるようにするために使用者により操作される。
2007506573.tif 000002
【特許請求の範囲】
【請求項１】
郵送可能カードであって、
一対の側端部、及び側端部間に延伸する一対の終端部を有するようなほぼ長方形の第１パネルであって、画像又は本文を収める主表面、及び主裏面を更に有する第１パネルと、
前記第１パネルと組み合わせて比較的平らな物体を収納するポケットを設けるように、前記第１パネルに固定できる第１部分、及び第１部分に繋がり且つ前記ポケットを閉じるように前記裏面へ固定できる第２部分を含む第２パネルと、
前記ポケットを閉じるように前記第２部分を前記裏面へ固定するために使用者によって操作される固定手段と、
前記物体を前記ポケットから取り出せるようにするために使用者により操作される開封手段と、
を含む郵送可能カード。
【請求項２】
前記カードが、前記終端部に平行であって前記第１及び第２パネルの境界を定めている境界線で折畳まれた一枚のカード材料から形成されている、請求項１に記載の郵送可能カード。
【請求項３】
前記第１パネルが、前記側端部で折畳むことができ且つ前記第２パネルに隣接している第１及び第２折り返し部を含む、請求項１又は２に記載の郵送可能カード。
【請求項４】
前記第２パネルの前記第１部分が、ポケットを閉じるように前記折り返し部に固定できる、請求項３に記載の郵送可能カード。
【請求項５】
前記固定手段が、前記第２部分の端部に沿った接着剤の細長い領域を含む、請求項１から４のいずれか１項に記載の郵送可能カード。
【請求項６】
前記開封手段が、ミシン目の線によって境界が定められた分離可能パネルを含む、請求項１から５のいずれか１項に記載の郵送可能カード。
【請求項７】
郵送可能カードであって、
一緒に固定して使用することができ、物体を保持するためのポケットの境界を定める第１及び第２パネルと、
前記第１パネルを前記第２パネルへ固定する固定手段と、
前記第２パネルに開口をもたらす分離可能部分であって、前記第１パネルが前記第２パネルに固定されたとき、使用者による前記分離可能部分の操作が、前記ポケットからの前記物体の取り出しを可能にする、分離可能部分と、
を有する郵送可能カード。
【請求項８】
前記第１パネルが、前記側端部で折畳むことができ且つ前記第２パネルに隣接している第１及び第２折り返し部を含む、請求項７に記載の郵送可能カード。
【請求項９】
前記第２パネルが第１部分と第２部分とを含む、請求項７又は８に記載の郵送可能カード。
【請求項１０】
前記第２パネルの前記第１部分が、ポケットを閉じるように前記折り返し部に固定できる、請求項９に記載の郵送可能カード。
【請求項１１】
前記第１部分が、前記物体が前記ポケットの中に挿入される前に、前記第１パネルへ固定される、請求項９に記載の郵送可能カード。
【請求項１２】
前記第２部分が、物体が前記ポケットの中に挿入された後に、使用者により前記第１パネルへ固定される、請求項９に記載の郵送可能カード。
【請求項１３】
前記固定手段が、前記第２部分の端部に沿った接着剤の細長い領域を含む、請求項７から１３のいずれか１項に記載の郵送可能カード。
【請求項１４】
前記分離可能部分が、ミシン目の線によって境界が定められている、請求項７から１３のいずれか１項に記載の郵送可能カード。
【請求項１５】
前記第２パネルが折り返し部材を含む、請求項８から１４のいずれか１項に記載の郵送可能カード。
【請求項１６】
使用時の前記折り返し部材が、前記パネルの面に実質的に平行な閉じた位置と前記パネルの面に実質的に垂直な開いた位置の間を動くことができる、請求項１５に記載の郵送可能カード。
【請求項１７】
前記折り返し部材が、前記開いた位置にある時、前記カードのためのスタンドを形成する、請求項１６に記載の郵送可能カード。
【請求項１８】
前記第１及び第２パネルが、一枚のカード材料素材から形成されている、請求項７から１４のいずれか１項に記載の郵送可能カード。
【請求項１９】
前記折り返し部の一つが、前記ポケットを再封止するために、前記折り返し部材の収納用のリップを含む、請求項１７から１９のいずれか１項に記載の郵送可能カード。
【請求項２０】
前記物体が情報記憶装置である、請求項７から１８のいずれか１項に記載の郵送可能カード。
【請求項２１】
前記情報記憶装置が、ミニ・コンパクト・ディスク、ミニ・デジタル・ビデオ・ディスク、又はＣＤ−ＲＯＭである、請求項２０に記載の郵送可能カード。
【発明の詳細な説明】
【技術分野】
【０００１】
本発明は、郵送可能カードに関するもので、特に、情報記憶装置用のポケットを有する絵はがき又はダイレクトメールはがきに関する。
【背景技術】
【０００２】
単なる一例として通常の絵はがきを取り上げると、旅行者が興味のある目的地を訪れたとき、特別な目的地を表示する絵はがきなどを買うのが普通である。絵はがきは、それから家族や友人に送られて、体験している旅行目的地のスナップ写真が提供される。
【０００３】
絵はがきは、一方の面に宛名と本文を書く部分を、他方の面に旅行目的地の写真画を備えた一枚の硬質用紙から構成されるのが普通である。
【０００４】
通常の絵はがきの欠点は、それが受取人に旅行目的地の静的な景色を提供するのみであるという点である。幾つかの絵はがきは目的地の簡単な説明を含むことがあるが、旅行目的地についての非常に限られた情報が伝達されるのみである。
【０００５】
受取人に旅行目的地の更に詳細を提供するために、多数の絵はがきを一緒に綴じて、多数の異なる写真画を示す折畳み式の小冊子を形成することも既に知られている。これらの小冊子の欠点は、未だ旅行目的地に付いての十分な情報を提供できないという点、対話性（双方向性）がない点、及び小冊子は最少の費用で郵送するのに適さない点である。
【０００６】
商店、劇場、料理店などで配られる絵はがき様式のカードや、広告でのダイレクトメールはがき利用の増加においても、同様な問題が起る。これらの種類の郵送可能カードは、最少の費用で郵送することができるけれども、十分な情報を提供することはできない。
【０００７】
（発明の目的）
本発明の目的は、先行技術の欠点を克服又は改善するか、或いは少なくとも有用な代替物を提供することである。
【０００８】
（発明の要約）
本明細書に最初に開示されているのは、郵送可能カードであって、
一対の側端部、及び側端部間に延伸する一対の終端部を有するようなほぼ長方形の第１パネルであって、画像又は本文を収める主表面、及び主裏面を更に有する第１パネルと、
前記第１パネルと組み合わせて比較的平らな物体を収納するポケットを設けるように前記第１パネルに固定できる第１部分、及び第１部分に繋がり且つ前記ポケットを閉じるように前記裏面へ固定できる第２部分を含む第２パネルと、
前記ポケットを閉じるように前記第２部分を前記裏面へ固定するために使用者により操作される固定手段と、
前記物体を前記ポケットから取り出すことができるように使用者により操作される開封手段と、
を含むカードである。
【０００９】
好ましくは、前記カードは、前記終端部に平行であって前記第１及び第２パネルの境界を定めている境界線で折畳まれた一枚のカード材料から形成されている。
【００１０】
好ましくは、前記第１パネルは、前記側端部で折畳むことができ且つ前記第２パネルに隣接している第１及び第２折り返し部を含む。
【００１１】
好ましくは、前記第２パネルの前記第１部分は、ポケットを閉じるように前記折り返し部に固定できる。
【００１２】
本明細書で更に開示されているのは、郵送可能カードであって、
一緒に固定して使用することができ、物体を保持するためのポケットの境界を定める第１及び第２パネルと、
前記第１パネルを前記第２パネルへ固定する固定手段と、
前記第２パネルに開口をもたらす分離可能部分であって、前記第１パネルが前記第２パネルに固定されたとき、使用者による前記分離可能部分の操作が、前記ポケットからの前記物体の取り出しを可能にする分離可能部分と、
を有するカードである。
【００１３】
好ましくは、前記第２パネルは第１部分と第２部分とを含む。
【００１４】
好ましくは、前記第１パネルは、前記側端部で折畳むことができ且つ前記第２パネルに隣接している第１及び第２折り返し部を含む。
【００１５】
好ましくは、前記第２パネルの前記第１部分は、ポケットを閉じるように前記折り返し部に固定できる。
【００１６】
好ましくは、前記第１部分は、前記物体が前記ポケットの中に挿入される前に、前記第１パネルへ固定される。
【００１７】
好ましくは、前記第２部分は、物体が前記ポケットの中に挿入された後に、使用者により前記第１パネルへ固定される。
【００１８】
好ましくは、前記固定手段は、前記第２部分の端部に沿った接着剤の細長い領域を含む。
【００１９】
好ましくは、前記分離可能部分は、ミシン目によって境界が定められている。
【００２０】
好ましくは、前記第２パネルは折り返し部材を含む。
【００２１】
好ましくは、使用時の前記折り返し部材は、前記パネルの面に実質的に平行な閉じた位置と、前記パネルの面に実質的に垂直な開いた位置の間を動くことができる。
【００２２】
好ましくは、前記折り返し部材は、前記開いた位置にある時、前記カードのためのスタンドを形成する。
【００２３】
好ましくは、前記第１及び第２パネルは、一枚のカード材料素材から形成されている。
【００２４】
好ましくは、前記折り返し部の一方は、前記ポケットを再封止するために、前記折り返し部材収納用のリップを含む。
【００２５】
好ましくは、前記物体は情報記憶装置である。
【００２６】
好ましくは、前記情報記憶装置は、ミニ・コンパクト・ディスク、ミニ・デジタル・ビデオ・ディスク、又はＣＤ−ＲＯＭである。
【発明を実施するための最良の形態】
【００２７】
本発明の好ましい形態を、添付図面を参照して以下に説明する。
【００２８】
添付図面、特に図１から４には、一対の側端部１０、１５と側端部１０、１５間に延伸する一対の終端部２０、２５とを有するような、ほぼ長方形の第１パネル５を備える、絵はがき（ポストカード）、ダイレクトメールはがき、などの郵送可能カード１が、概略的に描かれている。第１パネル５は、例えば絵はがきにある旅行目的地の画像又は本文などの、画像又は本文を収める主表面３０と、郵送先住所欄と一緒に画像又は本文などを収める主裏面３５と、を有する。第２パネル４０は、第１パネル５の裏面３５に重ね合わされており、第１パネル５と組み合わせて比較的平らな物体５２を収納するポケット５０をもたらすように裏面３５に固定された第１部分４５を含む。物体５２は、ディスク、ＣＤ−ＲＯＭなどの情報記憶装置である。第２部分５５は、第１部分４５に取り付けられ又は繋がっており、且つ裏面３５へ固定されてポケット５０を閉じる。固定手段６０は、第２部分５５を裏面３５へ固定してポケット５０を閉じるために使用者により操作される。開封手段６５は、物体５２をポケット５０から取り出すために使用者により操作される。
【００２９】
好ましい形態では、絵はがき１は、終端部２０、２５に平行であって第１及び第２パネル５、４０の境界を定めている境界線７０で折畳まれる、一枚のカード材料素材から製造することになろう。図１から４で最もよく理解できるように、第２パネル４０は第１パネル５の凡そ半分の大きさである。しかし、どのような比率であっても使用することができる。第２パネル４０は、第２部分５５を最初固定しない状態にしたまま、第１部分４５を糊又はその他の適切な材料で、第１パネル５の裏面３５へ固定させることが好ましい。接着剤の細長い領域などの形体をした固定手段６０が、第２部分５５の端部周辺に配置され、ポケット５０内へ物体５２を封入するときに、使用者によって機能を発揮させられる。分離可能部分又は開封手段６５は、好ましい形体ではミシン目により境界を定められている。
【００３０】
開封手段６５は、絵はがき１に傷をつけないで簡単にポケット５０内の物体５２へ到達できるような、簡単に割くことの出来る斜め（対角線）のジプ・ロック封止を含んでいる。使用者は、ジプ・ロックの一端を引っ張るだけで、第２パネル４０の右端で斜めの切り込みを開く。別の開封手段も同じく利用可能である。折り返し（フラップ）部材７５は、第２部材５５内に配置され、使用時に閉じた位置と開いた位置の間を動くことができ（例えば、図４、７、１１、又は１６を参照のこと）、カード１にスタンド（カード立て）を設ける。この折り返し７５は、折り返して三角形の折り返し部を形成し（図４、７、１１）、ポケット５０から物体５２を取り出すのに役立ち、且つスタンド７５がカードの展示を出来るようにする。このスタンド７５は、絵はがきを僅かに後へ傾けてカードの前面がやや上を向くようにし、炉棚（マントルピース）などの水平な面から見られるようにする。別のスタンドが図１６に示してある。
【００３１】
図１７に、更なる実施形態が開示されており、第１パネル５は、側端部１０、１５で折畳むことができ且つ第２パネル４０に隣接している、第１及び第２折り返し（フラップ）部６、７を有する。第２パネル４０の第１部分４５及び／又は第２部分５５は、折り返し部６、７に固定することができる。折り返し部の一方７は、開封手段６５が使用されてしまったときに、折り返し部材７５を再固定するのに使用できるようなリップ（唇状物）８を含む。
【００３２】
使用時に、第２パネル４０の第２部分５５は固定されずポケット５０は開いた状態で、使用者はカード１を入手する。ミニ・コンパクト・ディスク、ミニ・デジタル・ビデオ・ディスク、又はＣＤ−ＲＯＭなどの、情報記憶装置である物体５２が購入されるであろう。使用者は、旅行目的地、会社概要、広告などに関する情報を収めた物体５２を検分し、終わったら物体５２をポケット５０へ挿入するであろう。次に固定手段６０を利用してポケット５０を閉じ、第２部分５５を第１パネル５の裏面３５へ固定することになろう。物体５２は、ここでカード１内にしっかりと保持される。次にカード１は受取人へ郵送され、受取人は分離手段６５を分離して物体５２を取り出し、物体５２の内容を見る。それからスタンド７５を開いて、炉棚、円板（ディスク）、などの上へ展示用にカード１を置くことができる。カード１を保管して置く場合には、リップ８が、折り返し部材７５を再固定するのに使用できる。
【００３３】
本発明の利点は、ＣＤ／ＤＶＤなどを「最低郵便料金」の制限内で郵送できる一方で、受取人へ特定の話題に関するかなりの量の情報を提供する、最も簡単で、効率的で、費用効果の大きい手段である郵送用小封筒又はカード１である、という点である。通常、最低郵便料金は、はがきに対するものである。例えば、枚葉印刷法を用い、一枚のカード／紙は、切断して、複数の郵送用小封筒（メーラー）（例えば、８葉以上印刷された）を、かなりの時間、費用、及び無駄を節約しつつ、形成することができる。
【００３４】
好ましい形態において、本発明は、カード１の表面３０に印刷された画像、グラフィックス、又は文書情報に関する、ビデオなどの情報を含む小型（８０ｍｍ）のＣＤ−ＲＯＭと一緒に使えるよう設計されている。事実上、カード１は、伝統的な絵はがきやグリーティングカード（賀状）の外見と感触（ルック・アンド・フィール）を保ちつつ、多くのそれ以外の情報を提供する目的を満たすこと、並びに、ＣＤ−ＲＯＭなどに含まれるような新しい形のデジタル媒体を利用することが可能である。このような製品の送り主は、カード自身と一緒に１８０Ｍｂ以上のデジタル媒体を送ることが出来る。これは多数の人々へ広告用資料を送る場合に有利である。
【００３５】
更に、出願人の知る限りでは、普通の絵はがきの美的感覚と機能性を保持しつつ、「最低郵便料金」の諸要因（パラメータ）の範囲内でＣＤ／ＤＶＤなどを郵送できるようなデザインは、現時点では存在していない。カード面３０は、全景（パノラマ）写真、本文、又はデザインを表面３０に表示でき、使用者は通信文と郵便料金の詳細を裏面３５に記載し且つＣＤ／ＤＶＤ又は等価物をポケット５０内に固定することができる。ポケット５０は、郵送途中の物体５２をしっかりと保持し、物体５２の如何なる書き換え（いたずら、開封）も防止し、投函する前に物体５２を試写（プレビュー）できるだけの融通性があり、絵はがき１又は記載された領域を傷つけないで受取人により物体５２が容易に取り出されるように簡単に開封できるべきであり、且つ絵はがき１を写真又は絵のように炉棚又は仕事机に展示できるようある種のスタンド７５を備えていることが好ましい。
【００３６】
代りの実施形態において、カード１は、標準的絵はがきより少し広いカード用紙を用いる。用紙の約１／３を折り返して重ね、次に頂部と底部の折り返し部を糊付けしてポケット５０を形成する。次いで、残されている切り込み（スリット）が、「舐める」、「シールを剥がす」などして活性化する、又は閉じる前に裏打片（バッキング・ストリップ）を取除いたりすることなどが必要な、ある種の糊を用いて糊付けされる。
【００３７】
本発明を特定の実施例を参照して説明したが、本発明が多くの別の形体をとって具体化しうることを、当業者は理解するであろう。例えば、図５から１６は、カードの別の折畳み配置を示している。図５から１１では、第２パネルの第１及び第２部分４５、５５は、最初は貼り付けられていない。カード１は一度ではなく二度折られ、分離手段６５は第２部分５５を横切り長手方向に延伸している。図１２から１６においてもやはり、カード１は一度ではなく二度折られるが、分離手段は備えられていない。第１と第２部分４５、５５は互いに折り重ねられて、第１パネル５へ固定されポケット５０を形成する。第２部分５５は、物体５２を保持するための切り込み（スリット）７６を備えている。スタンド７５は、第１と第２部分４５、５５を途中まで広げる（開く）ことによって作られる。
【図面の簡単な説明】
【００３８】
【図１】図１は、本発明の最初の実施形態である郵送可能カード用素材の、広げた状態の正面図である。
【図２】図２は、図１の背面図である。
【図３】図３は、折畳んだ配置における図２である。
【図４】図４は、スタンドを開いた位置にした、図３の斜視図である。
【図５】図５は、本発明の別の実施形態であるカード用素材の、広げた状態の正面図である。
【図６】図６は、折畳んだ配置における図５の背面図である。
【図７】図７は、スタンドを開いた位置にした、図６の斜視図である。
【図８】図８は、本発明の別の実施形態であるカード用素材の、広げた状態の正面図である。
【図９】図９は、折畳んだ配置において封止部を開けた状態の、図８の背面図である。
【図１０】図１０は、折畳んだ配置において封止部を閉じた状態の、図８の背面図である。
【図１１】図１１は、スタンドを開いた位置にした、図８の斜視図である。
【図１２】図１２は、本発明の別の実施形態であるカード用素材の、広げた状態の正面図である。
【図１３】図１３は、図１２の背面図である。
【図１４】図１４は、部分的に折畳んだ配置における図１３である。
【図１５】図１５は、完全に折畳んだ配置における図１３である。
【図１６】図１６は、スタンドを開いた位置にした、図１５の斜視図である。
【図１７】図１７は、本発明の別の実施形態である郵送可能カード用素材の、広げた状態の正面図である。
【図１】
2007506573.tif 000003
【図２】
2007506573.tif 000004
【図３】
2007506573.tif 000005
【図４】
2007506573.tif 000006
【図５】
2007506573.tif 000007
【図６】
2007506573.tif 000008
【図７】
2007506573.tif 000009
【図８】
2007506573.tif 000010
【図９】
2007506573.tif 000011
【図１０】
2007506573.tif 000012
【図１１】
2007506573.tif 000013
【図１２】
2007506573.tif 000014
【図１３】
2007506573.tif 000015
【図１４】
2007506573.tif 000016
【図１５】
2007506573.tif 000017
【図１６】
2007506573.tif 000018
【図１７】
2007506573.tif 000019
【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
再利用できる郵送可能カードであって、
一対の側端部、及び側端部間に延伸する一対の終端部を有するようなほぼ長方形の第１パネルであって、画像又は本文を収める主表面、及び主裏面を更に有する第１パネルと、
前記第１パネルと組み合わせて比較的平らな情報記憶媒体を収納するポケットを設けるように、前記第１パネルに固定できる第１部分、及び第１部分に繋がり且つ前記ポケットを閉じるように前記裏面へ固定できる第２部分を含む第２パネルと、
前記ポケットを閉じるように前記第２部分を前記裏面へ固定するために使用者によって操作される固定手段と、
前記物体を前記ポケットから取り出せるようにするために使用者により操作される開封手段と、
前記カードを再郵送できるように前記ポケットを再封止する手段と、
を含む郵送可能カード。
【請求項２】
前記カードが、前記終端部に平行であって前記第１及び第２パネルの境界を定めている境界線で折畳まれた一枚のカード材料から形成されている、請求項１に記載の郵送可能カード。
【請求項３】
前記第１パネルが、前記側端部で折畳むことができ且つ前記第２パネルに隣接している第１及び第２折り返し部を含む、請求項１又は２に記載の郵送可能カード。
【請求項４】
前記第２パネルの前記第１部分が、ポケットを閉じるように前記折り返し部に固定できる、請求項３に記載の郵送可能カード。
【請求項５】
前記固定手段が、前記カードを再郵送できるように前記ポケットを再封止するために、前記折り返し部材収納用のリップを含む、請求項３又は４に記載の郵送可能カード。
【請求項６】
前記固定手段が、前記第２部分の端部に沿った接着剤の細長い領域を含む、請求項１から５のいずれか１項に記載の郵送可能カード。
【請求項７】
前記開封手段が、ミシン目の線によって境界が定められた分離可能パネルを含む、請求項１から６のいずれか１項に記載の郵送可能カード。
【請求項８】
前記分離可能パネルが、前記第２パネルに開口をもたらし、前記第１パネルが前記第２パネルに固定されたとき、使用者による前記分離可能パネルの操作が、前記ポケットからの前記物体の取り出しを可能にする、請求項７に記載の郵送可能カード。
【請求項９】
前記第２パネルが折り返し部材を含む、請求項１から８のいずれか１項に記載の郵送可能カード。
【請求項１０】
使用時の前記折り返し部材が、前記パネルの面に実質的に平行な閉じた位置と前記パネルの面に実質的に垂直な開いた位置の間を動くことができる、請求項９に記載の郵送可能カード。
【請求項１１】
前記折り返し部材が、前記開いた位置にある時、前記カードのためのスタンドを形成する、請求項１０に記載の郵送可能カード。
【請求項１２】
前記情報記憶媒体が、ミニ・コンパクト・ディスク、ミニ・デジタル・ビデオ・ディスク、又はＣＤ−ＲＯＭである、請求項１から１１のいずれか１項に記載の郵送可能カード。
【手続補正２】
【補正対象書類名】明細書
【補正対象項目名】全文
【補正方法】変更
【補正の内容】
【発明の詳細な説明】
【技術分野】
【０００１】
本発明は、郵送可能カードに関するもので、特に、情報記憶装置用のポケットを有する絵はがき又はダイレクトメールはがきに関する。
【背景技術】
【０００２】
単なる一例として通常の絵はがきを取り上げると、旅行者が興味のある目的地を訪れたとき、特別な目的地を表示する絵はがきなどを買うのが普通である。絵はがきは、それから家族や友人に送られて、体験している旅行目的地のスナップ写真が提供される。
【０００３】
絵はがきは、一方の面に宛名と本文を書く部分を、他方の面に旅行目的地の写真画を備えた一枚の硬質用紙から構成されるのが普通である。
【０００４】
通常の絵はがきの欠点は、それが受取人に旅行目的地の静的な景色を提供するのみであるという点である。幾つかの絵はがきは目的地の簡単な説明を含むことがあるが、旅行目的地についての非常に限られた情報が伝達されるのみである。
【０００５】
受取人に旅行目的地の更に詳細を提供するために、多数の絵はがきを一緒に綴じて、多数の異なる写真画を示す折畳み式の小冊子を形成することも既に知られている。これらの小冊子の欠点は、未だ旅行目的地に付いての十分な情報を提供できないという点、対話性（双方向性）がない点、及び小冊子は最少の費用で郵送するのに適さない点である。
【０００６】
商店、劇場、料理店などで配られる絵はがき様式のカードや、広告でのダイレクトメールはがき利用の増加においても、同様な問題が起る。これらの種類の郵送可能カードは、最少の費用で郵送することができるけれども、十分な情報を提供することはできない。
【０００７】
（発明の目的）
本発明の目的は、先行技術の欠点を克服又は改善するか、或いは少なくとも有用な代替物を提供することである。
【０００８】
（発明の要約）
本明細書に最初に開示されているのは、郵送可能カードであって、
一対の側端部、及び側端部間に延伸する一対の終端部を有するようなほぼ長方形の第１パネルであって、画像又は本文を収める主表面、及び主裏面を更に有する第１パネルと、
前記第１パネルと組み合わせて比較的平らな情報（データ）記憶媒体を収納するポケットを設けるように前記第１パネルに固定できる第１部分、及び第１部分に繋がり且つ前記ポケットを閉じるように前記裏面へ固定できる第２部分を含む第２パネルと、
前記ポケットを閉じるように前記第２部分を前記裏面へ固定するために使用者により操作される固定手段と、
前記物体を前記ポケットから取り出すことができるように使用者により操作される開封手段と、
前記カードを再郵送できるように前記ポケットを再封止する手段と、
を含むカードである。
【０００９】
好ましくは、前記カードは、前記終端部に平行であって前記第１及び第２パネルの境界を定めている境界線で折畳まれた一枚のカード材料から形成されている。
【００１０】
好ましくは、前記第１パネルは、前記側端部で折畳むことができ且つ前記第２パネルに隣接している第１及び第２折り返し部を含む。
【００１１】
好ましくは、前記第２パネルの前記第１部分は、ポケットを閉じるように前記折り返し部に固定できる。
【００１２】
好ましくは、前記カードが再郵送されないように前記ポケットを再封止するために、前記折り返し部材収納用のリップを含む。
好ましくは、前記固定手段は、前記第２部分の端部に沿った接着剤の細長い領域を含む。
【００１３】
好ましくは、前記開封手段は、ミシン目の線によって境界が定められた分離可能パネルを含む。
好ましくは、前記分離可能パネルは、前記第２パネルに開口をもたらし、前記第１パネルが前記第２パネルに固定されたとき、使用者による前記分離可能パネルの操作が、前記ポケットからの前記物体の取り出しを可能にする。
好ましくは、前記第２パネルは折り返し部材を含む。
【００１４】
好ましくは、使用時の前記折り返し部材は、前記パネルの面に実質的に平行な閉じた位置と、前記パネルの面に実質的に垂直な開いた位置の間を動くことができる。
【００１５】
好ましくは、前記折り返し部材は、前記開いた位置にある時、前記カードのためのスタンドを形成する。
【００１６】
好ましくは、前記情報記憶媒体は、ミニ・コンパクト・ディスク、ミニ・デジタル・ビデオ・ディスク、又はＣＤ−ＲＯＭである。
【発明を実施するための最良の形態】
【００１７】
本発明の好ましい形態を、添付図面を参照して以下に説明する。
【００１８】
添付図面、特に図１から４には、一対の側端部１０、１５と側端部１０、１５間に延伸する一対の終端部２０、２５とを有するような、ほぼ長方形の第１パネル５を備える、絵はがき（ポストカード）、ダイレクトメールはがき、などの郵送可能カード１が、概略的に描かれている。第１パネル５は、例えば絵はがきにある旅行目的地の画像又は本文などの、画像又は本文を収める主表面３０と、郵送先住所欄と一緒に画像又は本文などを収める主裏面３５と、を有する。第２パネル４０は、第１パネル５の裏面３５に重ね合わされており、第１パネル５と組み合わせて比較的平らな物体５２を収納するポケット５０をもたらすように裏面３５に固定された第１部分４５を含む。物体５２は、ディスク、ＣＤ−ＲＯＭなどの情報記憶装置である。第２部分５５は、第１部分４５に取り付けられ又は繋がっており、且つ裏面３５へ固定されてポケット５０を閉じる。固定手段６０は、第２部分５５を裏面３５へ固定してポケット５０を閉じるために使用者により操作される。開封手段６５は、物体５２をポケット５０から取り出すために使用者により操作される。
【００１９】
好ましい形態では、絵はがき１は、終端部２０、２５に平行であって第１及び第２パネル５、４０の境界を定めている境界線７０で折畳まれる、一枚のカード材料素材から製造することになろう。図１から４で最もよく理解できるように、第２パネル４０は第１パネル５の凡そ半分の大きさである。しかし、どのような比率であっても使用することができる。第２パネル４０は、第２部分５５を最初固定しない状態にしたまま、第１部分４５を糊又はその他の適切な材料で、第１パネル５の裏面３５へ固定させることが好ましい。接着剤の細長い領域などの形体をした固定手段６０が、第２部分５５の端部周辺に配置され、ポケット５０内へ物体５２を封入するときに、使用者によって機能を発揮させられる。分離可能部分又は開封手段６５は、好ましい形体ではミシン目により境界を定められている。
【００２０】
開封手段６５は、絵はがき１に傷をつけないで簡単にポケット５０内の物体５２へ到達できるような、簡単に割くことの出来る斜め（対角線）のジプ・ロック封止を含んでいる。使用者は、ジプ・ロックの一端を引っ張るだけで、第２パネル４０の右端で斜めの切り込みを開く。別の開封手段も同じく利用可能である。折り返し（フラップ）部材７５は、第２部材５５内に配置され、使用時に閉じた位置と開いた位置の間を動くことができ（例えば、図４、７、１１、又は１６を参照のこと）、カード１にスタンド（カード立て）を設ける。この折り返し７５は、折り返して三角形の折り返し部を形成し（図４、７、１１）、ポケット５０から物体５２を取り出すのに役立ち、且つスタンド７５がカードの展示を出来るようにする。このスタンド７５は、絵はがきを僅かに後へ傾けてカードの前面がやや上を向くようにし、炉棚（マントルピース）などの水平な面から見られるようにする。別のスタンドが図１６に示してある。
【００２１】
図１７に、更なる実施形態が開示されており、第１パネル５は、側端部１０、１５で折畳むことができ且つ第２パネル４０に隣接している、第１及び第２折り返し（フラップ）部６、７を有する。第２パネル４０の第１部分４５及び／又は第２部分５５は、折り返し部６、７に固定することができる。折り返し部の一方７は、開封手段６５が使用されてしまったときに、折り返し部材７５を再固定するのに使用できるようなリップ（唇状物）８を含む。
【００２２】
使用時に、第２パネル４０の第２部分５５は固定されずポケット５０は開いた状態で、使用者はカード１を入手する。ミニ・コンパクト・ディスク、ミニ・デジタル・ビデオ・ディスク、又はＣＤ−ＲＯＭなどの、情報記憶装置である物体５２が購入されるであろう。使用者は、旅行目的地、会社概要、広告などに関する情報を収めた物体５２を検分し、終わったら物体５２をポケット５０へ挿入するであろう。次に固定手段６０を利用してポケット５０を閉じ、第２部分５５を第１パネル５の裏面３５へ固定することになろう。物体５２は、ここでカード１内にしっかりと保持される。次にカード１は受取人へ郵送され、受取人は分離手段６５を分離して物体５２を取り出し、物体５２の内容を見る。それからスタンド７５を開いて、炉棚、円板（ディスク）、などの上へ展示用にカード１を置くことができる。カード１を保管して置く場合には、リップ８が、折り返し部材７５を再固定するのに使用できる。
【００２３】
本発明の利点は、ＣＤ／ＤＶＤなどを「最低郵便料金」の制限内で郵送できる一方で、受取人へ特定の話題に関するかなりの量の情報を提供する、最も簡単で、効率的で、費用効果の大きい手段である郵送用小封筒又はカード１である、という点である。通常、最低郵便料金は、はがきに対するものである。例えば、枚葉印刷法を用い、一枚のカード／紙は、切断して、複数の郵送用小封筒（メーラー）（例えば、８葉以上印刷された）を、かなりの時間、費用、及び無駄を節約しつつ、形成することができる。
【００２４】
好ましい形態において、本発明は、カード１の表面３０に印刷された画像、グラフィックス、又は文書情報に関する、ビデオなどの情報を含む小型（８０ｍｍ）のＣＤ−ＲＯＭと一緒に使えるよう設計されている。事実上、カード１は、伝統的な絵はがきやグリーティングカード（賀状）の外見と感触（ルック・アンド・フィール）を保ちつつ、多くのそれ以外の情報を提供する目的を満たすこと、並びに、ＣＤ−ＲＯＭなどに含まれるような新しい形のデジタル媒体を利用することが可能である。このような製品の送り主は、カード自身と一緒に１８０Ｍｂ以上のデジタル媒体を送ることが出来る。これは多数の人々へ広告用資料を送る場合に有利である。
【００２５】
更に、出願人の知る限りでは、普通の絵はがきの美的感覚と機能性を保持しつつ、「最低郵便料金」の諸要因（パラメータ）の範囲内でＣＤ／ＤＶＤなどを郵送できるようなデザインは、現時点では存在していない。カード面３０は、全景（パノラマ）写真、本文、又はデザインを表面３０に表示でき、使用者は通信文と郵便料金の詳細を裏面３５に記載し且つＣＤ／ＤＶＤ又は等価物をポケット５０内に固定することができる。ポケット５０は、郵送途中の物体５２をしっかりと保持し、物体５２の如何なる書き換え（いたずら、開封）も防止し、投函する前に物体５２を試写（プレビュー）できるだけの融通性があり、絵はがき１又は記載された領域を傷つけないで受取人により物体５２が容易に取り出されるように簡単に開封できるべきであり、且つ絵はがき１を写真又は絵のように炉棚又は仕事机に展示できるようある種のスタンド７５を備えていることが好ましい。
【００２６】
代りの実施形態において、カード１は、標準的絵はがきより少し広いカード用紙を用いる。用紙の約１／３を折り返して重ね、次に頂部と底部の折り返し部を糊付けしてポケット５０を形成する。次いで、残されている切り込み（スリット）が、「舐める」、「シールを剥がす」などして活性化する、又は閉じる前に裏打片（バッキング・ストリップ）を取除いたりすることなどが必要な、ある種の糊を用いて糊付けされる。
【００２７】
本発明を特定の実施例を参照して説明したが、本発明が多くの別の形体をとって具体化しうることを、当業者は理解するであろう。例えば、図５から１６は、カードの別の折畳み配置を示している。図５から１１では、第２パネルの第１及び第２部分４５、５５は、最初は貼り付けられていない。カード１は一度ではなく二度折られ、分離手段６５は第２部分５５を横切り長手方向に延伸している。図１２から１６においてもやはり、カード１は一度ではなく二度折られるが、分離手段は備えられていない。第１と第２部分４５、５５は互いに折り重ねられて、第１パネル５へ固定されポケット５０を形成する。第２部分５５は、物体５２を保持するための切り込み（スリット）７６を備えている。スタンド７５は、第１と第２部分４５、５５を途中まで広げる（開く）ことによって作られる。
【図面の簡単な説明】
【００２８】
【図１】図１は、本発明の最初の実施形態である郵送可能カード用素材の、広げた状態の正面図である。
【図２】図２は、図１の背面図である。
【図３】図３は、折畳んだ配置における図２である。
【図４】図４は、スタンドを開いた位置にした、図３の斜視図である。
【図５】図５は、本発明の別の実施形態であるカード用素材の、広げた状態の正面図である。
【図６】図６は、折畳んだ配置における図５の背面図である。
【図７】図７は、スタンドを開いた位置にした、図６の斜視図である。
【図８】図８は、本発明の別の実施形態であるカード用素材の、広げた状態の正面図である。
【図９】図９は、折畳んだ配置において封止部を開けた状態の、図８の背面図である。
【図１０】図１０は、折畳んだ配置において封止部を閉じた状態の、図８の背面図である。
【図１１】図１１は、スタンドを開いた位置にした、図８の斜視図である。
【図１２】図１２は、本発明の別の実施形態であるカード用素材の、広げた状態の正面図である。
【図１３】図１３は、図１２の背面図である。
【図１４】図１４は、部分的に折畳んだ配置における図１３である。
【図１５】図１５は、完全に折畳んだ配置における図１３である。
【図１６】図１６は、スタンドを開いた位置にした、図１５の斜視図である。
【図１７】図１７は、本発明の別の実施形態である郵送可能カード用素材の、広げた状態の正面図である。
【国際調査報告】
2007506573.tif 000020
2007506573.tif 000021
2007506573.tif 000022